(57)【特許請求の範囲】
【請求項１】
ＮＭＲ分光計において反応槽で生成される反応流体の測定を実行する監視セル（１００）であって、
前記ＮＭＲ分光計で測定される前記反応流体を受け入れる中空のＮＭＲ試料プローブ（１１０）と、
前記反応槽から前記反応流体を受け入れると共に、前記反応流体を前記反応槽から前記試料プローブ（１１０）へ移送する注入移送毛細管（１１２）と、
前記反応流体を前記試料プローブ（１１０）から前記反応槽へ戻し移送する排出移送毛細管（１２３）と、
温度調節流体を前記監視セル（１００）に供給する供給管（３０６）、及び前記温度調節流体を前記監視セル（１００）から戻す戻り管（３５８）を有し、前記供給管（３０６）は前記戻り管（３５８）内に同軸的に配置され、前記温度調節流体を前記注入移送毛細管及び前記排出移送毛細管（１１２，１２３）の周囲に導く装置と、
前記移送毛細管（１１２，１２３）が通されるアダプタ部（１０６）と、
前記移送毛細管（１１２，１２３）を前記試料プローブ（１１０）に連結するように構成され、前記注入移送毛細管（１１２）が前記試料プローブ（１１０）内に延びる前記アダプタ部（１０６）の試料側端部のアダプタヘッド（１０８）であって、前記試料プローブ（１１０）を前記アダプタ部（１０６）に着脱可能に接続するアダプタヘッド（１０８）とを有し、
前記移送毛細管（１１２，１２３）は前記供給管（３０６）内に、同軸的ではなく互いに平行に配置され、前記移送毛細管（１１２，１２３）の双方は前記アダプタヘッド（１０８）に流体密に取り付けられ、
前記供給管及び前記戻り管（３０６，３５８）は、前記温度調節流体用に構成され、前記アダプタ部（１０６）において前記温度調節流体流の反転が生じるように、前記アダプタ部（１０６）に取り付けられることを特徴とする監視セル（１００）。
【請求項２】
前記供給管（３０６）及び前記戻り管（３５８）は、前記アダプタ部（１０６）において前記温度調節流体流が反転するように、前記アダプタ部（１０６）の中空容積を介して互いに連通することを特徴とする請求項１に記載の監視セル。
【請求項３】
前記注入移送毛細管（１１２）は前記排出移送毛細管（１２３）よりも深く前記試料プローブ（１１０）に浸漬し、特に、前記排出移送毛細管（１２３）は前記アダプタヘッド（１０８）で終端し、前記試料プローブ（１１０）に浸漬しないことを特徴とする請求項１又は２に記載の監視セル。
【請求項４】
前記アダプタ部（１０６）及び前記アダプタヘッド（１０８）は外側に断熱体を備えることを特徴とする請求項１から３のいずれか１項に記載の監視セル。
【請求項５】
前記アダプタヘッド（１０８）は、ポリテトラフルオロエチレン（テフロン（登録商標））から作られることを特徴とする請求項１から４のいずれか１項に記載の監視セル。
【請求項６】
前記試料プローブ（１１０）と前記アダプタヘッド（１０８）との間に、着脱容易なコネクタがあることを特徴とする請求項１から５のいずれか１項に記載の監視セル。
【請求項７】
前記移送毛細管（１１２，１２３）は同一の外径を有することを特徴とする請求項１から６のいずれか１項に記載の監視セル。
【請求項８】
前記移送毛細管（１１２，１２３）は化学的に不活性なプラスチックから作られることを特徴とする請求項１から７のいずれか１項に記載の監視セル。
【請求項９】
前記排出移送毛細管（１２３）は、前記注入移送毛細管（１１２）よりも内径が大きいことを特徴とする請求項１から８のいずれか１項に記載の監視セル。
【請求項１０】
前記移送毛細管（１１２，１２３）の内径が０．１〜１．２ｍｍであることを特徴とする請求項１から９のいずれか１項に記載の監視セル。
【請求項１１】
前記供給管（３０６）と前記戻り管（３５８）は、３〜６ｍの距離にわたって内径が２〜１０ｍｍであることを特徴とする請求項１から１０のいずれか１項に記載の監視セル。
【請求項１２】
第１のＹ型連結部品（４０１）が設けられ、当該第１のＹ型連結部品により前記移送毛細管（１１２，１２３）が前記温度調節流体を導く装置に挿入され得ることを特徴とする請求項１から１１のいずれか１項に記載の監視セル。
【請求項１３】
第２のＹ型連結部品（４０２）が設けられ、当該第２のＹ型連結部品により前記供給管（３０６）と前記戻り管（３５８）が前記温度調節流体を導く装置に挿入され得ることを特徴とする請求項１から１２のいずれか１項に記載の監視セル。
【請求項１４】
前記Ｙ型連結部品（４０１，４０２）の入口と出口が約４５°の角度をなすことを特徴とする請求項１２又は１３に記載の監視セル。
【請求項１５】
前記温度調節流体は液体であることを特徴とする請求項１から１４のいずれか１項に記載の監視セル。
【発明の詳細な説明】
【技術分野】
【０００１】
本発明は概して、ＮＭＲ分光法による化学反応の連続監視の分野に関する。また、本発明は、ＮＭＲ分光計において反応槽で生成される反応流体の測定を実行し、特に、ＮＭＲ分光法によって化学反応を監視する監視セルに関する。
【背景技術】
【０００２】
この監視セルは、ＮＭＲ分光計で測定する反応流体を受け入れる中空試料プローブと、反応槽から反応流体を受け入れると共に、反応流体を反応槽から試料プローブへ移送する注入移送毛細管と、反応流体を試料プローブから反応槽へ戻し移送する排出移送毛細管と、温度調節流体を監視セルに供給する供給管、及び温度調節流体を監視セルから戻す戻り管を有し、供給管は戻り管内に同軸的に配置され、温度調節流体を注入移送毛細管及び排出移送毛細管の周囲に導く装置と、移送毛細管が通されるアダプタ部と、移送毛細管を試料プローブに連結するように構成され、注入毛細管が試料プローブ内に突出するアダプタ部のプローブ端部のアダプタヘッドであって、試料プローブをアダプタ部に分離可能に接続するアダプタヘッドとを備える。ＮＭＲフローセルとして構成される監視セルは、特許文献１又はその対応特許文献２から公知である。
【０００３】
ＮＭＲ分光法は、化学化合物を分析することができる一般的な測定方法である。通常ＮＭＲ分光法において、試料管の測定対象の試料を試料プローブ内に設け、ＮＭＲ分光計で測定する。
【０００４】
化学反応の監視は基本的に、反応平衡を生成物側に移動し、且つ／又は不完全な反応を抑止するために反応パラメータ（温度、圧力、溶剤、触媒…）を最適化することを含む。したがって、ＮＭＲ分光法によって永続的に反応を監視し続けるために、定期的に試料を採取しなければならず、多大な費用となる。
【０００５】
試料の移送時に、反応条件（例えば、温度や圧力）を維持して、測定対象の試料が変化しないようにしなければならない。この過程で、時間的要因が重要な役割を果たす。
【０００６】
ＮＭＲ分光計と化学反応器は空間的に離れており、反応の監視は閉鎖系で行われるので、反応混合物は連続的に反応器から試料ブローブに送り込まれ、定期的に測定される。移送システムにおける条件は、反応槽での主条件にできるだけ近くなければならない。このことは特に、反応温度にあてはまる。
【０００７】
初めに引用した特許文献１又はその並行特許文献２において、いずれの場合も、ＮＭＲ分光法による化学反応監視用のフローセルが記載されている。この公知の装置により、液体反応混合物は連続的に反応器から測定装置のＮＭＲ試料プローブに送り込まれ、液体反応混合物は測定される。
【０００８】
この公知のシステムは、全部で４つの互いに内部に配置された同軸管によって機能し、２つの内側の毛細管は反応混合物の移送毛細管からなる。２つの外管は、温度調節流体を循環するためのものである。このシステムは、基本的に、
１．温度調節管の反転用ハウジング
２．移送毛細管を温度調節管から分離する連結部
３．移送毛細管を送りと戻りに分離するセラミックヘッド
４．反応混合物の供給毛細管のみを収容する試料プローブ（測定セル）
の４つの部分からなる。
【０００９】
供給管又は戻り管からなる４つの同軸管を接続するために、いくつかの接続箇所が必要であり、添付図３（特許文献２から引用）に示すように、システムが非常に複雑になる。
【００１０】
さらに、公知の装置では連結部品（上記項目２参照）が設けられ、測定セルの毛細管を送るために、反応流の毛細管を温度調節管から分離している。これにより、反応混合物が温度調節されずに室温にさらされる比較的大きい領域が作られる。このことは、特に、細い毛細管を用いて動作する時や、反応温度が室温と大きく異なる時に問題となる。この配置において、発熱化学反応により、熱平衡が遅くなったり変わったりするおそれがある。０℃未満の温度で進む反応では、これにより、この露出箇所において試料の状態が制御不能に変化をもたらすおそれがある。
【００１１】
したがって、必ず、加熱回路又は冷却回路の貫流を市販の循環サーモスタットを用いて生じさせることができ、反応に必要な温度を全長にわたって著しく低下させることなく維持できるようにしなければならない。このことは、温度調節管の抵抗器（例えばＴコネクタなど）が流れを著しく減少させるため、試料供給の全長にわたって、温度が狭い範囲内で同じままであることを保証できないことを意味する。
【００１２】
さらに、この公知の設計により、戻り試料毛細管の容積は試料供給毛細管より何倍も、すなわち約５倍大きくなる。このため、測定対象の試料が再び反応器に送り返されるまでの循環時間が比較的長く、再び反応器における反応に悪影響を及ぼしかねない。
【００１３】
試料プローブ（ＮＭＲ流管）の取り換えは、特別な工具を用いないと行うことができない。その過程で接続を不可逆的に壊さなければならない（スナップキャップ、かみそり刃で切断）。
【００１４】
上記のように、温度は、化学反応の反応速度に多大な影響を及ぼす重要な要因である。ここで、特に温度に関して、化学平衡を維持するという大きな困難がある。さらに、サンプリングのシステムはできるだけ簡単に構成しなければならず、すなわち、できるだけ少ない接続及び取り付け箇所で構成しなければならない。そのような箇所は、流体の移送において弱い連結と認識されることが多く、漏れが起こる可能性がある。
【先行技術文献】
【特許文献】
【００１５】
【特許文献１】米国特許第８，６８６，７２９号明細書
【特許文献２】欧州特許第２４０７７９６号明細書
【発明の概要】
【発明が解決しようとする課題】
【００１６】
本発明は、流体測定試料の供給管及び戻り管における安価な技術的手段により上記種類の監視セルにおいてできるだけ均一な温度を維持することで、熱平衡に影響を及ぼさないようにし、できるだけ少なく、できるだけ規格化された接続箇所又は取り付け箇所を使用することができ、市場で簡単に入手でき、一方で既存の装置を必ず簡単にアップグレードできるように、サンプリングシステムを簡単に設計するという比較的要求が厳しい複雑な課題に基づくものである。
【課題を解決するための手段】
【００１７】
この課題は、移送毛細管が供給管内に、同軸的ではなく互いに平行に配置され、両移送毛細管はアダプタヘッドに流体密に取り付けられ、温度調節流体の供給管及び戻り管は、温度調節流体流の反転がアダプタ部で生じるように構成され、アダプタ部に取り付けられるという点で、本発明により驚くほど簡単で効果的な方法で達成される。
【００１８】
４つの管が互いの内側に置かれる同軸設計に比べ、本発明において反応混合物の移送毛細管は別々に配置される。反応流体を反応槽から試料プローブへ供給し、反応器に戻す２つの移送毛細管は、可能であれば、試料プローブ全長にわたって、温度調節流体（一般に液体）によって囲まれることで、反応混合物を所望の温度に保つことができる。
【００１９】
温度調節流体は同軸管で運ばれ、内管が供給管であり、外管が共通槽への温度調節流体の戻り管である。
【００２０】
反応混合物の移送毛細管は、好ましくはＹ型の取り付け具により、反応槽のすぐ近傍の供給管に挿入される。さらなる、同様に好ましくはＹ型の取り付け具において、移送毛細管に沿う供給管が戻り管に挿入される。この設計を用いることで、温度を同じにしたままで、反応混合物をＮＭＲ分光計まで数メートルにわたって移送することができる。
【００２１】
２つの温度調節管がアダプタ部品の容積を介して連通した状態で、試料プローブのすぐ前で、温度調節流はアダプタ部において反転する。
【００２２】
アダプタ部品はロッキングヘッド（アダプタヘッド）により分光計側で終端し、ロッキングヘッドには移送毛細管だけが延びており、温度調節流は流れていない。
【００２３】
注入移送毛細管が好ましくは排出移送毛細管よりも深く浸かっている試料プローブは、アダプタヘッドに取り付けられている。排出移送毛細管はアダプタヘッドで終端しているのが好ましい。
【００２４】
反応混合物は注入毛細管から試料プローブへ流れる。プローブはこのように全測定容積まで満たされ、反応混合物が常に流される。
【００２５】
反応混合物は排出毛細管の開口を通って反応器に送り返される。
【００２６】
特に、以下の利点が本発明により達成される。
‐測定プローブまでの全範囲にわたる温度調節の向上が可能である。
‐先行技術の連結部が省略される。
‐取り付け具が少ないことで、弱い箇所が少なくなり、その結果システムにおいて漏れが少なくなり、設計が簡単になる。
‐唯一調節されていない領域はアダプタヘッドであるが、試料プローブの側におけるＮＭＲ分光計のガス流により部分的に調節される。
‐試料戻りの容積調節が可能である。
‐著しく少ない数の必要部品によって、また市販のサイズを用いることによって、より経済的な製造が実現される。
‐用途へのより簡単な調整が実現される。
【発明の効果】
【００２７】
本発明の監視セルの特に簡単でそれゆえ好ましい実施形態において、供給管と戻り管は、温度調節媒体流がアダプタ部において反転するように、アダプタ部の中空容積を介して互いに連通する。
【００２８】
本発明のさらに有利な実施形態において、注入移送毛細管は排出移送毛細管よりも試料プローブに深く浸漬しており、特に、排出移送毛細管はロッキングヘッド（アダプタヘッド）で終端し、ロッキングヘッドには移送毛細管だけが導かれ、温度調節流は導かれていない。そして、排出移送毛細管は試料プローブに入らない。反応混合物は注入毛細管から試料プローブに流出するので、試料プローブは全測定容積まで満たされ、反応混合物が常に流される。排出毛細管の開口を通って、反応混合物は反応器へ送り返される。
【００２９】
好ましくは、アダプタ部とアダプタヘッドの双方は、外側に断熱体を備えた状態で設計される。これにより、温度調節流体供給全体と同じく、試料プローブ側のアダプタ部品は温度損失に対し絶縁される。
【００３０】
本発明の好ましい部類の実施形態には、好ましくはグラスファイバーで強化されたポリテトラフルオロエチレン（テフロン（登録商標））から作られるアダプタヘッドが含まれる。この材料は、先行技術によるセラミックよりも堅固で穴が少ないので、洗浄及び再利用、並びに化学物質に対する不活性に関して有利である。さらに、この材料ではボアホールを作ることができ、標準的な移送毛細管の取り付け具を流体密にねじ込むことができる。
【００３１】
このシステムは、−４０〜＋１２０℃、特に−１０〜＋６０℃の温度で使用することができる。
【００３２】
本発明の監視セルのさらに有利な実施形態が与えられる点として、試料プローブが汚れてきた時や、用途の変更や測定範囲の容積に変更がある時に、試料プローブを簡単に素早く取り替えるために、試料プローブとアダプタヘッドとの間に、好ましくは工具を使わず、手で取り外し可能な着脱容易なコネクタ、特に再利用可能な差込みコネクタが存在する。
【００３３】
好ましい実施形態において、移送毛細管は同一の外形寸法を有する。試料回路に外形寸法に関して同一寸法にした２つの毛細管を使用することで、とりわけ、戻りの試料毛細管に対しさらに良好な容積調節を与えることができる。そして内部容積に関しては自由に選択することができ、最も好ましいケースでは、試料を戻す毛細管と同一にできる。
【００３４】
毛細管と取り付け具に関して市販のサイズを選択することで、製品を約５０％より経済的に製造することができ、反応（内部容積）の必要条件にさらに容易に適合することができる。
【００３５】
本発明の監視セルのさらに有利な実施形態において、移送毛細管は化学的に不活性なプラスチック、好ましくはＰＴＦＥで作られる。市販の化学的に不活性なＰＴＦＥ毛細管を用いることで、市販の取り付け具を使用でき、管接続部を特別に製造する必要がない。
【００３６】
排出移送毛細管は注入毛細管よりも内径が大きく、特に必要であれば２倍大きいのが好ましい。これは、試料プローブに生じる可能性のある沈殿物の除去に有利である。
【００３７】
移送毛細管の内径は、反応の必要条件によるが、０．１〜１．２ｍｍであり、特に好ましくは、内径は０．２５〜０．５ｍｍである。好ましくは、送り毛細管と戻り毛細管は０．５ｍｍの内径を有することで、４〜６ｍの長さに沿って起こる圧力降下をできるだけ低く抑えるようにし、同時に内部システム容積を考慮に入れる。それゆえ水に対して室温で５ｍＬ／秒のポンプ吐出率に対する圧力降下は、約１ｂａｒ／ｍである（毛細管）。
【００３８】
さらなる有利な本発明の監視セルの実施形態において、３〜６ｍの距離にわたる温度調節流体の供給管と戻り管が２〜１０ｍｍ、好ましくは供給管が約３．５ｍｍ、戻り管が約７ｍｍの内径を有する。
【００３９】
本発明のさらに好ましい実施形態において、第１のＹ型連結部品を設けることで、移送毛細管を装置に挿入して温度調節流体を導くことができる。
【００４０】
さらに、第２のＹ型連結部を設けることができ、それにより供給管と戻り管を装置に挿入して温度調節流体を導くことができる。
【００４１】
特に有利な実施形態において、Ｙ型連結部品の入口と出口は約４５°の角度を囲むので、市販の循環サーモスタットを使用する場合、温度調節流体の容積流を、９０°の角度のＴ型連結部品に対して約４０％増加することもできる。
【００４２】
特に好ましい本発明の変形において、温度調節流体は液体である。温度調節気体による温度調節は、気体はすぐれた熱媒体ではないので、効果がはるかに低い。
【００４３】
本発明の範囲にはまた、ＮＭＲ分光法による化学反応の反応制御に、上記の発明的特質を持つシステムを使用することが含まれる。
【００４４】
本発明のさらなる利点は、本明細書及び図面から明らかになる。同様に、上記の特徴やさらに挙げた特徴はそれ自体で個別に用いることもできるし、それぞれを組み合わせて用いることもできる。図示及び説明した例示的実施形態は、網羅的なリストとみなすべきではなく、正しくは、本発明を説明するための例である性質のものである。
【図面の簡単な説明】
【００４５】
【図１】発明の実施の形態の監視セルの概略縦断面図である。
【図２】側面から見た本実施の形態の概略三次元図である。
【図３】先行技術による監視セルの図である。
【発明を実施するための形態】
【００４６】
本発明は図面に示され、例示的な実施の形態に関連してより詳細に説明される。
【００４７】
図１及び図２は、好ましい実施形態の本発明の監視セル１００の概略図を示す。これは、ＮＭＲ分光計において反応槽で生成される反応流体の測定を行って、特にＮＭＲ分光法によって化学反応を監視する役目をする。したがって、これはＮＭＲによる化学反応監視用のフローセルである。本発明装置により、反応混合物が連続的に、反応器から測定部のＮＭＲ試料プローブに送り込まれ、測定される。この過程で、特に温度に対して、化学平衡を維持するのは常にとても難しい。
【００４８】
監視セル１００は、
ＮＭＲ分光計で測定する反応流体を受け入れる中空のＮＭＲ試料プローブ１１０と、
反応槽から反応流体を受け入れると共に、反応流体を反応槽から試料プローブ１１０へ移送する注入移送毛細管１１２と、
反応流体を試料プローブ１１０から反応槽に戻し移送する排出移送毛細管１２３と、
監視セル１００に温度調節流体を供給する供給管３０６、及び温度調節流体を監視セル１００かを戻す戻り管３５８を有し、供給管３０６は戻り管３５８内に同軸的に配置され、温度調節流体を注入移送毛細管１１２及び排出移送毛細管１２３の周囲に導く装置と、
移送毛細管１１２及び１２３が通されるアダプタ部１０６と、
移送毛細管１１２及び１２３を試料プローブに連結するように構成され、注入移送毛細管１１２が試料プローブ１１０内に延びるアダプタ部１０６の試料側端部のアダプタヘッド１０８であって、試料プローブ１１０をアダプタ部１０６に取り外し可能に接続するアダプタヘッド１０８とを有する。
【００４９】
本発明の監視セル１００は、移送毛細管１１２及び１２３が供給管３０６内において、同軸的ではなく互いに平行に配置され、移送毛細管１１２及び１２３の双方がアダプタヘッド１０８に流体密に取り付けられることを特徴とし、また、供給管３０６及び戻り管３５８が、温度調節流体用に構成され、アダプタ部１０６において温度調節流体流の反転が起こるように、アダプタ部１０６に取り付けられることを特徴とする。
【００５０】
試料プローブ１１０を再利用可能な差込みコネクタ（図示せず）で固定することにより、素早く簡単に交換することができる。
【００５１】
温度調節流体の容積流は、主に２つの方策により向上する。
【００５２】
‐（関連する）管接続部の数を以前の２８から１２に減らす。
【００５３】
‐７つの９０°の角度のＴ接続部の代わりに、２つの４５°の角度のＹコネクタ４０１及び４０２を使用する。これにより、市販の循環サーモスタットを使用する場合、温度調節流体の容積流量が約４０％増加した。
【００５４】
試料回路の外形寸法に関して、２つの同一寸法にした移送毛細管１１２及び１２３を使用することで、戻り試料毛細管１２３の容積調節を良好にすることもできる。内部容積に関しては自由に選択することができ、最も好適なケースでは、試料を供給する毛細管１１２と同一にできる。
【００５５】
毛細管及び接続部に関して市販のサイズを選択することにより、製品を約５０％より経済的に製造することができ、同時に、反応（内部容積）の必要条件にさらに容易に適合することができる。
【００５６】
アダプタヘッド１０８は通常、グラスファイバーで強化されたテフロン（登録商標）から作られる。この材料は、先行技術で設けられるようなセラミックよりも堅固で穴が少ないので、洗浄や再利用に有利であるとともに、化学物質に対する不活性に関しても有利である。さらに、この材料ではボアホールやねじ山を作ることができ、標準的な移送毛細管の接続部を流体密にねじ込むことができる。
【００５７】
このシステムは、−４０〜＋１２０℃、特に−１０〜＋６０℃の温度で使用することができる。
【００５８】
好ましくは、排出移送毛細管１２３は注入移送毛細管１１２よりも内径が大きく、好ましくは同じか、必要に応じて最大で２倍大きい。これは、試料プローブ１１０で生じ得る沈殿物を除去するのに有利である。移送毛細管の内径は０．１〜１．２ｍｍであり、特に好ましくは、内径は０．２５〜０．５ｍｍである。そして水に対して室温で５ｍＬ／秒のポンプ吐出率に対する圧力降下は、約１ｂａｒ／ｍであるのが好ましい（毛細管）。
【００５９】
本発明によるシステムはさらに、第１のＹ型連結部品４０１を含み、それにより移送毛細管１１２，１２３は温度調節流体の供給管３０６に挿入される。
【００６０】
上記システムは好ましくは第２のＹ型連結部４０２を含み、それにより温度調節流体供給管３０６は温度調節流体の戻り管３５８に連結される。
【００６１】
市販の化学的に不活性のＰＴＦＥ毛細管を使用することで、市販のコネクタを使用することができる。したがって、管取り付け具を特別に製作する必要がない。
【００６２】
アダプタ部品１０６の試料プローブ側は、温度調節流体送り全体とＮＭＲフローセル全体と同じように、温度損失に対して絶縁され得るように形成される。
【００６３】
さらに、試料プローブ１１０は、特別な工具を使わず手で取り外せる、着脱容易なコネクタで固定して、試料プローブが汚れてきた時や、用途変更や測定範囲の容積変更がある時に、簡単に取り替えられる。
【００６４】
本発明により、図２に示すように、測定容積が異なるいくつかの試料プローブ１１０，１１０’，試料プローブ１１０”の挿入を可能にして、ユーザーに、用途に対する具体的な調整の選択肢と、それにより生じる試料濃度を与えるようにする。例えば、測定範囲の実容積は、４６０μＬ，１３０μＬ，又は９０μＬにすることができる。
【００６５】
最後に、図３は上記に詳細に説明したような、先行技術から公知のＮＭＲフローセルを示す。
【符号の説明】
【００６６】
１００  監視セル
１０６  アダプタ部
１０８  アダプタヘッド
１１０，１１０’，１１０”  ＮＭＲ試料プローブ
１１２  注入移送毛細管
１２３  排出移送毛細管
３０６  供給管
３５８  戻り管
４０１  第１のＹ型連結部品
４０２  第２のＹ型連結部品
【図１】
0006603164.tif 000002
【図２】
0006603164.tif 000003
【図３】
0006603164.tif 000004